Podtech/llm-jp-corpus-v4-ja_patent huggingface dataset:
(57)【要約】【課題】従来より広く知られている漬物とは全く異なる新規な漬物であって、好ましい味と風味とを備え、かつ、人の注意を引く外観を有する漬物を提供する。【解決手段】シート状の野菜により形成される第一層１と、野菜の細片５と魚介類の細片７とにより形成される第二層３とを積み重ねてなることを特徴とする漬物。昆布により形成される第一層１と、野菜の細片５と魚介類の細片７とにより形成される第二層３とを積み重ねてなることを特徴とする漬物。【選択図】図１
0003121173.tif 000002
【実用新案登録請求の範囲】
【請求項１】
シート状の野菜により形成される第一層と、野菜の細片と魚介類の細片とにより形成される第二層とを積み重ねてなることを特徴とする漬物。
【請求項２】
昆布により形成される第一層と、野菜の細片と魚介類の細片とにより形成され第二層とを積み重ねてなることを特徴とする漬物。
【考案の詳細な説明】
【技術分野】
【０００１】
本考案は、漬物に関するものである。
【背景技術】
【０００２】
漬物としては、野菜を塩、ぬか、味噌、酒かす等に漬けてなるものが従来より広く知られている。
【０００３】
実開平６−７９２８８号公報は、生のまま適宜の長さに刻んだわさびの葉、花、葉柄等を塩もみし、軽くしぼって青臭みを除き、薄く刻んだ生のリンゴと共に漬込んでなるわさびとリンゴの漬物を開示している。
【特許文献１】実開平６−７９２８８号公報
【考案の開示】
【考案が解決しようとする課題】
【０００４】
上記従来の漬物及び実開平６−７９２８８号公報に開示されているわさびとリンゴの漬物は、それぞれ好ましいものであるが、本考案は、これら公知の漬物とは全く異なる新規な漬物を提供しようとしてなされたものである。
【課題を解決するための手段】
【０００５】
上記課題を解決するために、本考案は、下記の漬物を提供する。
【０００６】
（１）シート状の野菜により形成される第一層と、野菜の細片と魚介類の細片とにより形成される第二層とを積み重ねてなることを特徴とする漬物（請求項１）。
【０００７】
（２）昆布により形成される第一層と、野菜の細片と魚介類の細片とにより形成される第二層とを積み重ねてなることを特徴とする漬物（請求項２）。
【考案の効果】
【０００８】
［請求項１の考案］
請求項１の考案による漬物は、シート状の野菜により形成される第一層と、野菜の細片と魚介類の細片とにより形成される第二層とを積み重ねてなるものであるため、好ましい味と風味とを備えているだけでなく、人の注意を引く外観を有する。
【０００９】
［請求項２の考案］
請求項２の考案による漬物は、第一層を昆布により形成した点を除き、前記請求項１と同じであり、請求項１の考案と同様の効果を発揮する。
【考案を実施するための最良の形態】
【００１０】
本考案による漬物は、第一層１と第二層３とを積み重ねてなるものである。
【００１１】
第一層１はシート状の野菜又は昆布により形成される。
【００１２】
第一層１を形成するシート状の野菜は、好ましくは白菜とする。
【００１３】
第二層３は、野菜の細片５と魚介類の細片７とにより形成される
【００１４】
野菜の細片５は、例えば、大根、ニンジン等を長さ約３ｃｍ、太さ約３ｍｍに切断してなるもの、或いはネギ、生姜、ニンニク等をみじん切りしてなるものを使用する。
【００１５】
第三層３には、赤唐辛子の細片或いはダシ昆布を１〜２ｍｍに細切りしてなるものを必要に応じて適宜加える。
【００１６】
魚介類の細片７としては、例えば桜海老を用いる。
【００１７】
本考案による漬物を製造する際には、一例として、次のようになす。
【００１８】
第一層1用の白菜又は昆布を適宜切断する。白菜は例えば１／４〜１／８の大きさに切断する。これらのものを適宜の容器に収納して２〜３日間塩漬けにする。
【００１９】
第二層３形成する野菜の細片５と魚介類の細片７とを混合し、塩を加える。
【００２０】
第一層１の白菜又は昆布上に第二層３の野菜の細片５と魚介類の細片７とを乗せ、該第二層３上に第一層１の白菜又は昆布を乗せる。以後、順次、第一層１と第二層３とを交互に積み重ねる。
【００２１】
このようにして第一層１と第二層３とを積み重ねたものをカンピョウ又は紐等の結束手段９により結束し、図２に示すように、容器１１内に収容し、例えば押圧板１３を介して重し１５を乗せ、２〜３日間漬込む。
【００２２】
このようにして漬込んだものを容器１１から取り出し、結束手段９を切断して本考案の漬物となす。
【００２３】
この漬物を図１、図２における上下方向に適宜切断して食する。
【図面の簡単な説明】
【００２４】
【図１】結束手段により結束された状態の漬物の一例を示す
【図２】漬物を容器内で漬込んでいる状態を示す断面図である。
【符号の説明】
【００２５】
１  第一層
３  第二層
５  野菜の細片
７  魚介類の細片
９  結束手段
１１  容器
１３  押圧板
１５  重し
【図１】
0003121173.tif 000003
【図２】
0003121173.tif 000004
(57)【要約】【課題】自動車のドア窓の日よけの従来の功能の外に、装飾と安全警示との功能を付け加えて、その優位を増大させることを課題とする。【解決手段】裏面に水平状の溝１０を形成し、この溝１０の中に直列に連結した複数のＬＥＤ灯１１を設置し、両面グルーテープ１２を溝１０の上に貼り付けて、ＬＥＤ灯１１をかくして置く。それからこのＬＥＤ灯１１を持つドア窓の日よけを自動車の左右両側のドアの窓枠の外側面に安定して固設し、丁度ドア窓を被せる様にする、更に電線２１の一端をＬＥＤ灯１１の一端に連結し、電線２１の別端は自動車の直流電源と連結して、ＬＥＤ灯１１が点灯される様にする。電線２１の別端は自動車の左右方向転換指示灯の回路に結線してもよく、或いは自動車のタバコライターの回路に結線することもできる。更にＬＥＤ灯１１とタバコライターとの間の電線にスイッチを増設してもよい。【選択図】図２
0003121117.tif 000002
【実用新案登録請求の範囲】
【請求項１】
裏面に設けられる水平状の溝と、
前記溝の中に設置され、末端に電線が連結され、前記電線の別端は自動車の直流電源と連結されている複数の直列に連結されているＬＥＤ灯と、
前記溝の上に貼り付けられ、前記溝の中に設置している前記ＬＥＤ灯の上に被せられている両面グルーテープとを備え、
自動車のドア窓の枠の外側面に安定して固設されることを特徴とする自動車のドア窓の日よけ。
【請求項２】
前記ＬＥＤ灯に連結されている前記電線は、その別端が自動車のタバコライターのプラグと連結されていることを特徴とする請求項１に記載の自動車のドア窓の日よけ。
【請求項３】
前記ＬＥＤ灯に連結されている前記電線の別端は、自動車の左右方向転換指示灯の回路に連結されていることを特徴とする請求項１に記載の自動車のドア窓の日よけ。
【請求項４】
前記電線はその両末端の中間にスイッチを直列に連結していて、前記ＬＥＤ灯の開閉を作動させることを特徴とする請求項１に記載の自動車のドア窓の日よけ。
【考案の詳細な説明】
【技術分野】
【０００１】
本考案は自動車ドア窓の外側面に取り付けられる日よけに関する。
【背景技術】
【０００２】
従来の自動車のドア窓の日よけは、ただ日光を遮ったり、雨がドア窓から自動車の中に入らない様にする功能しかなく、その優位の範囲が限られている。
【考案の開示】
【考案が解決しようとする課題】
【０００３】
それで本考案は、自動車のドア窓の日よけの従来の功能の外に、装飾と安全警示との功能を付け加えて、その優位を増大させることを課題とする。
【課題を解決するための手段】
【０００４】
前記の課題を解決するために、本考案は従来の自動車のドア窓の日よけの裏面に水平状の溝を形成し、この溝の中に直列に連結した複数のＬＥＤ灯を設置し、両面グルーテープを溝の上に貼り付けて、ＬＥＤ灯をかくして置く。それからこのＬＥＤ灯を持つドア窓の日よけを自動車の左右両側のドアの窓枠の外側面に安定して固設し、丁度ドア窓を被せる様にする、更に一本の電線の一端をＬＥＤ灯の一端に連結し、電線の別端は自動車の直流電源と連結して、ＬＥＤ灯が点灯される様にする。電線の別端は直接直流電源に連結しないで、自動車の左右方向転換指示灯の回路に結線してもよく、或いは自動車のタバコライターの回路に結線することもできる。更にＬＥＤ灯とタバコライターとの間の電線にスイッチを増設して置けばＬＥＤ灯の開閉を作動させることができる。
本考案の自動車のドア窓の日よけは、自動車が夜間又は早朝霧が深い時或いは天気が暗い時に点灯されたら、一種の装飾になる外、側面を走る外の車両や通行人に対して余り近づかない様に安全警示を与える功能がある。
【考案を実施するための最良の形態】
【０００５】
本考案の一実施例による自動車のドア窓の日よけは、図１及び図２が示す様に、日よけ板１の裏面に水平状の溝１０を形成し、この溝１０の中に直列に連結した複数のＬＥＤ灯１１を設置し、電線２１の端末をこのＬＥＤ灯１１の端末に連結し、両面グルーテープ１２を溝１０の上に被せる様に貼り付けてＬＥＤ灯１１を保護する様にかくす。それでこのドアの日よけ板１を自動車の左右のドアの窓枠の外側面に安定して取り付ける。更にＬＥＤ灯１１と連結している電線２１の別端は自動車の直流バッテリー（図面に示していない）と連結してＬＥＤ灯１１が点灯される様にする。電線２１の別端は直流バッテリーに結線しないで、図１が示す様に自動車のタバコライターと連結すれば、このタバコライター２２のプラグをコンセントに差し込むことにより直流バッテリーと間接に連結される。更に図３が示す様にスイッチ２３をＬＥＤ灯１１と電線２１の間に連結すれば、ＬＥＤ灯の開閉を作動されることができる。その外、電線２１の別端は自動車の左右方向転換指示灯の回路（図面に示していない）に連結することができる。
本考案の一実施例による自動車のドア窓の日よけは、夜間又は早朝霧が深い時、或いは天気がとても暗い時にそのＬＥＤ灯を点灯すれば、一種の飾りになる外、側面を走る外の車両と通行人に対して余り近づかない様に警告を与える功能をも持つ。
【図面の簡単な説明】
【０００６】
【図１】本考案の一実施例による自動車のドア窓の日よけの斜視図である。
【図２】本考案の一実施例による自動車のドア窓の日よけの断面図である。
【図３】本考案の一実施例による自動車のドア窓の日よけの斜視図である。
【図４】本考案の一実施例による自動車のドア窓の日よけが自動車に設置されている状態を示す斜視図である。
【符号の説明】
【０００７】
１  日よけ板、１０  溝、１１  ＬＥＤ灯、１２  両面グルーテープ、２  ＬＥＤ座台、２１  電線、２２  タバコライターのプラグ、２３  スイッチ
【図１】
0003121117.tif 000003
【図２】
0003121117.tif 000004
【図３】
0003121117.tif 000005
【図４】
0003121117.tif 000006
(57)【要約】      （修正有）【課題】ボルトナット等を取り込むレンチにおいて、ソケット口とボルト頭の受けが合わない時でもソケットとボルト頭を確実に合致させるソケットレンチを提供する。【解決手段】ソケットレンチの受け口近くにマグネットＭを埋設することによりボルト頭の長さやボルト頭が変形しているにもかかわらずボルト頭の受けの甘さを解消する。【選択図】図１
0003121266.tif 000002
【実用新案登録請求の範囲】
【請求項１】
ソケットレンチＡにおいて、ソケット（１）の受け口（２）近くにマグネットＭを埋設したことを特徴としたマグネット付きソケット。
【考案の詳細な説明】
【技術分野】
【０００１】
ソケットレンチＡにおいて、ソケット受口（２）近くにマグネットＭを設けたマグネット付きソケット。
【背景技術】
【０００２】
工具としてのソケットレンチにはサイズや大きさによって各種があり広く利用されているが、この中でもボルト等の受けを良くするためにボルト受け穴にマグネットを用いているソケットレンチもある。
【特許文献１】特開２００２−１０３４２号公報
【考案の開示】
【考案が解決しようとする課題】
【０００３】
市販されているマグネット付きのソケットレンチは図３のＭ’で示すようにソケットの受け穴の正面（底）に設けてあるため、ボルト頭が短いものや、ボルト頭が変形したものなどには、マグネットとボルト頭が離れて受けが悪い欠点が見られる。
【課題を解決するための手段】
【０００４】
考案者はこの点に鑑み、種々試作研究を重ねた結果、ソケットレンチＡの受け穴の受口（２）近くにマグネットを設けることによってボルト頭の短いボルトやボルト先端が変形してしまったボルトであってもボルト頭の側面から確実にとらえることが出来る。
【考案の効果】
【０００５】
上述のように本考案はソケットレンチＡのソケットの受け口（２）近くにマグネットＭを埋設することによって、ボルトを確実にとらえられるため、作業に不安なく能率のよい作業が期待できる。
【考案を実施するための最良の形態】
【０００６】
添付図面により本考案の実施のための最良の形態を説明すると、図１は本考案のソケットレンチＡのソケット部（１）の全体を示す斜視図であり、ボルト受け口（２）の近くに棒状のマグネットＭを埋設する。
【実施例】
【０００７】
図示されるようにソケット（１）のボルト受け口（２）の近くに棒状マグネットＭを埋設するもので、棒状マグネットＭが受け口（２）の近くにあって、しかもボルト（図示していない）を側面から磁着固定するためソケット（１）がボルトを確実にとらえることが出来る。
【０００８】
このため、ボルト頭の短いものでも又ボルト頭がつぶれて少し変形しているボルトでも側面で磁着するためボルトとの間に遊びがなく、作業が確実にスムーズに行える。
【産業上の利用可能性】
【０００９】
本考案のマグネット付きソケットは、特に新しく作ることなく、既製のソケット（１）の受け口（２）近くに穿孔して棒状マグネットＭを埋設するのみで足りるため安価での製作が可能である。
【図面の簡単な説明】
【００１０】
【図１】全体を表わす斜視図
【図２】受け口の正面図
【図３】断面図
【符号の説明】
【００１１】
１  ソケット
２  ボルト受け口
Ｍ  棒状マグネット
【図１】
0003121266.tif 000003
【図２】
0003121266.tif 000004
【図３】
0003121266.tif 000005
(57)【要約】      （修正有）【課題】三味線の音をアンプを使って増幅し、大音量で演奏しようとする場合従前の方式では、三味線本体に特別な加工を施したり、専用の駒を用いるなど、高度な加工や高額な専用部品を使わねばならないという問題点があった。本考案は、特殊で高度な加工や高額な専用部品を用いることなしに、手持ちの三味線が安価でかつ簡単に、大音量を得られるエレキ三味線を提供する。【解決手段】三味線の胴に取り付ける専用ステイと表面に取り付けるマイクを両面テープで簡単に装着できるようにし、高度な加工や高額な専用部品を用いることなく、手持ちの三味線が安価で簡単に、大音量を得られるエレキ三味線にすることができるようにした。【選択図】図２
0003121262.tif 000002
【実用新案登録請求の範囲】
【請求項１】
ピエゾ式マイク、専用ステイ、標準プラグを組み合せて、作成した三味線マイク。
マイク部底面とステイ部側面に両面テープを施し簡単な取付けと低廉性を実現したもの。
【考案の詳細な説明】
【考案の開示】
【考案が解決しようとする課題】
【０００１】三味線の音をアンプを使って増幅し、大音量で演奏しようとする場合従前の方式では、三味線本体に特別な加工を施したり、専用の駒を用いるなど、高度な加工や高額な専用部品を使わねばならないという問題点があった。
【課題を解決するための手段】
【０００２】三味線の胴に取り付ける専用ステイと表面に取り付けるマイクを両面テープで簡単に装着できるようにし、三味線に特殊な加工や専用部品に取り替えることなしに、簡単にエレキ三味線として使えるようした。マイクはピエゾ式マイクを採用し、専用の電池も不要とし、より簡便な取り付け、利用を可能とした。
【考案の効果】
【０００３】特殊で高度な加工や高額な専用部品を用いることなしに、手持ちの三味線が安価でかつ簡単に、大音量を得られるエレキ三味線にすることができる。
【図面の簡単な説明】
【０００４】取り付け前、マイク単体の構造図と、取り付け後のイメージ図の両面から製品を解説する。【図１】取り付け前、マイク単体の構造図である。
【図２】取り付け後の図である。
【符号の説明】
【０００５】Ａ  マイク部分
Ｂ  ジャック部分
Ｃ  ステイの部分
【図１】
0003121262.tif 000003
【図２】
0003121262.tif 000004
【手続補正書】
【提出日】平成18年1月18日(2006.1.18)
【手続補正１】
【補正対象書類名】実用新案登録請求の範囲
【補正対象項目名】全文
【補正方法】変更
【補正の内容】
【実用新案登録請求の範囲】
【請求項１】
ピエゾ式マイク、専用ステイ、標準プラグで構成した本体をマイクの底面と専用ステイ側面の両面テープで固定し、三味線本体を加工することなしに、簡便に取付けることができ、アンプとの接続による音量増幅を低価格で実現することを特徴とした三味線マイク。
(57)【要約】【課題】従来の携帯電話はストラップ口が小さいため複数の飾り付きストラップを取り付けた際かさばって持ちにくくなる点があった。本考案携帯ストラップはストラップ口が小さい携帯電話でも、ストラップに付いているマスコット等の飾りを複数取り付けることが出来、且つかさばらずにすむことが出来るようにする。【解決手段】ストラップ本体１に取り付けの出来る金具２を複数３使用したことによって、ストラップ口６が小さい従来の携帯電話５でもより多くの飾り７を付けることを可能にした。【選択図】  図１
0003121270.tif 000002
【実用新案登録請求の範囲】
【請求項１】
ストラップの本体部分に、取り付けの出来る金具を複数個付けておくことにより、他のストラップ等に付いている飾りも複数取り付けることが出来るストラップ。
【請求項２】
ストラップの本体部分に取り付けられている金具は、予め一定の間隔をおき、取り付けられているストラップである。
【請求項３】
使用されている金具は着脱が自由自在であることが特徴。
【請求項４】
本体部分は鎖及び紐及びビーズ等のタイプがある。
【請求項５】
本体部分となる鎖、紐、ビーズ等は環状及び分岐状のタイプがある。
【考案の詳細な説明】
【技術分野】
【０００１】
本考案は、ストラップに付いているマスコット等の飾りをかさばらずにすずなり状に取り付け出来るストラップに関するものである。
【背景技術】
【０００２】
携帯電話に使用されている飾り付きストラップは近年ファッション化される傾向にあり一台の携帯電話に複数のストラップを付けることが多く見られる。
【０００３】
携帯電話などで見かけるストラップの付け方は、電話機本体のストラップ口が小さいため飾り付きストラップを３個以上付けると、多くなりかさばることが現状である。
【０００４】
従来のストラップにはストラップ本体と飾りになる部分が、取り外せる物があるのに注目した。
【考案の開示】
【考案が解決しようとする課題】
【０００５】
従来の携帯電話はストラップ口が小さいため、一つの口に複数のストラップを取り付けなければならないという問題点があった。
【０００６】
従来、携帯電話にストラップを複数付けた場合、かさばって持ちにくくなるという問題点があった。
【課題を解決するための手段】
【０００７】
本考案は、ストラップ本体１に取り外しが容易に出来る金具２を予め間隔をおいて３複数個取り付けることにした。
【考案の効果】
【０００８】
本考案のストラップは、ストラップ本体１と、本体に複数個取り付けられている金具２からなり、通常飾りとなる部分７を多数付けた場合でも、従来のようにかさばりにくく持つことが出来る。
【０００９】
本考案のストラップは、従来の携帯電話５の様にストラップ口６が小さい場合でも、好みの飾りが多数取り付けられる。
【実施例】
【００１０】
図１は、携帯電話に本考案のストラップを付けた時の状態である。
【図面の簡単な説明】
【００１１】
【図１】図１は，携帯電話に従来のストラップを取り付けている状態と本考案のストラップを取り付けている状態の比較図である。
【図２】図２は、本考案ストラップの鎖及び紐及びビーズタイプの全体図である。
【図３】図３は、ストラップ本体に金具が結合している部分の拡大図である。
【符号の説明】
【００１２】
１  ストラップ本体
２  金具部
３  取り付け箇所
５  携帯電話
６  携帯電話のストラップ口
７  マスコット等の飾り
【図１】
0003121270.tif 000003
【図２】
0003121270.tif 000004
【図３】
0003121270.tif 000005
【手続補正書】
【提出日】平成18年2月16日(2006.2.16)
【手続補正１】
【補正対象書類名】実用新案登録請求の範囲
【補正対象項目名】全文
【補正方法】変更
【補正の内容】
【実用新案登録請求の範囲】
【請求項１】
ストラップの本体部分に、取り付けの出来る金具を複数個付けておくことにより、他のストラップ等に付いている飾りも複数取り付けることが出来るストラップ。
【請求項２】
ストラップの本体部分に取り付けられている金具は、予め一定の間隔をおき、取り付けられていることを特徴とする請求項１のストラップ。
【請求項３】
使用されている金具は着脱が自由自在であることを特徴とする請求項１のストラップ。
【請求項４】
本体部分は鎖及び紐及びビーズのタイプがあることを特徴とする請求項１のストラップ。
【請求項５】
本体部分となる鎖、紐、ビーズは環状及び分岐状のタイプがあることを特徴とする請求項１のストラップ。
(57)【要約】【課題】  本を開いて読む時に、本を手で持っても置いても容易に使用してページを押えることができ、また、使用後は、本に挟んで閉じることができるページ押え具の提供を課題とする。【解決手段】  クリップ１ａの下板に中穴部２ａを回転自在に設け、連絡バー５ａの一方の端を中穴部２ａに装着する。次に、クリップ１ｂの下板に中穴部２ｂを設け、連絡バー５ａのもう一方の端を摺動自在及び取り外し自在に中穴部２ｂに装着する。  また、クリップ１ａの上板の先端部に軸３ａを設け、軸３ａを中心に上下動自在に挟み板４ａを装着する。クリップ１ｂにも同様に挟み板４ｂを装着する。  また、クリップ１ｂの上板に押えバー５ｂを装着する。【選択図】図１
0003121265.tif 000002
【実用新案登録請求の範囲】
【請求項１】
クリップ１ａの下板に中穴部２ａを回転自在に設け、連絡バー５ａの一方の端を中穴部２ａに装着する。且つ、クリップ１ｂの下板に中穴部２ｂを設け、連絡バー５ａのもう一方の端を摺動自在及び取り外し自在に中穴部２ｂに装着したことを特徴とするページ押え具。
【請求項２】
前記クリップ１ａの上板の先端部に軸３ａを設け、軸３ａを中心に上下動自在に挟み板４ａを装着する。且つ、前記クリップ１ｂの上板の先端部に軸３ｂを設け、軸３ｂを中心に上下動自在に挟み板４ｂを装着したことを特徴とする請求項１記載のページ押え具。
【請求項３】
前記クリップ１ｂの上板に押えバー５ｂを装着したことを特徴とする請求項１又は２記載のページ押え具。
【考案の詳細な説明】
【技術分野】
【０００１】  この考案は、本を開いて読む時に、ページが捲れたり本が閉じたりすることを防ぐことができるページ押え具の構造に関するものである。
【背景技術】
【０００２】  従来のページ押え具は、図３に示すように、置いてある本に取り付ける構造のものであり、また、取り付けたまま本を閉じることができないものである。
【特許文献１】特開１９９８−０３５１４４号公報
【考案の開示】
【考案が解決しようとする課題】
【０００３】  しかしながら、以上の技術によれば、本を置いて使用するには有効であるが、本を手に持って使用するには本と器具を手で押さえる必要があり不向きである。また、使用後は、取り外して本を閉じなければならず不便である。
そこで、この考案は、本を持っても置いても容易に使用してページを押えることができ、また、使用後は、本に挟んで閉じることができるページ押え具を提供することを課題とする。
【課題を解決するための手段】
【０００４】  以上の課題を解決するために、第一考案は、クリップ１ａの下板に中穴部２ａを回転自在に設け、連絡バー５ａの一方の端を中穴部２ａに装着する。且つ、クリップ１ｂの下板に中穴部２ｂを設け、連絡バー５ａのもう一方の端を摺動自在及び取り外し自在に中穴部２ｂに装着したことを特徴とするページ押え具である。
【考案の効果】
【０００５】  第一考案によれば、連絡バー５ａで繋いだクリップ１ａとクリップ１ｂを見開きの本の上側から両側に取り付ける構造であるので、本を持っても置いても容易に使用してページを押えることができる。また、使用後は、連絡バー５ａをクリップ１ｂから外して回転させて本に挟んで閉じて置けるので、しおりとしても利用できる。
【考案を実施するための最良の形態】
【０００６】  この考案の一実施形態を、図１又は図２に示す。
クリップ１ａの下板に中穴部２ａがピンで止められ回転自在に設けられている。さらに、連絡バー５ａの一方の端が中穴部２ａに装着されている。また、クリップ１ｂの下板に中穴部２ｂが設けられていて、連絡バー５ａのもう一方の端が摺動自在及び取り外し自在に中穴部２ｂに装着されている。クリップ１ａ及びクリップ１ｂの下板は扁平な縦長になっている。クリップ１ａの上板の先端部に軸３ａが設けられていて、挟み板４ａが軸３ａを中心に上下動自在に装着されている。この装着部分は、挟み板４ａの中心部に中穴軸が設けられていて中穴軸が軸３ａに装着された構造になっている。そして、挟み板４ａの先端部は上に反れている。また、クリップ１ａと同様にクリップ１ｂにも挟み板４ｂが装着されている。さらに、クリップ１ｂの上板に押えバー５ｂが装着されている。【０００７】「実施形態の効果」
この実施形態によれば、見開きの本の上側から両側の途中ページにクリップ１ａ及びクリップ１ｂの下板を差し込んで挟む構造であるので、また、下板が扁平な縦長のため途中ページに差し込み易くなっているので、さらに、軽量なので、本を持っても置いても、また、座ったり横になったり立ったりといろいろな体勢をとっても、容易に使用できる。そして、クリップ１ａとクリップ１ｂが連絡バー５ａで繋がれているため、手で本を押えることなくページを押えることができる。クリップ１ａの下板と挟み板４ａの面と面、及びクリップ１ｂの下板と挟み板４ｂの面と面で平行にページを挟む構造であるので、また、挟み板４ａ及び挟み板４ｂの先端部が上に反っているので、ページを傷めることなくページを押えることができ、ページ捲り及びページの差し込みが容易にできる。さらに、クリップ１ｂの上板に押えバー５ｂが装着されているので、捲ったページを簡単に押えバー５ｂの下に差し込める。そして、数ページ毎にまとめて挟み板４ｂの下に差し込んでいけるので、一回一回クリップ１ｂを開閉することなく次々に読み進むことができる。本の途中ページに取り付ける構造であるので、また、クリップ１ｂが摺動自在に装着されているので、大小厚薄のどのような本にも対応できる。使用後は、連絡バー５ａをクリップ１ｂから外し、中穴部２ａを回転して連絡バー５ａを本に挟んで閉じて置けるため、しおりとしても利用できる。
【図面の簡単な説明】
【０００８】
【図１】この考案の一実施形態を示した斜視図である。
【図２】この考案の一実施形態を示した右側面図である。
【図３】従来技術を示した正面図である。
【符号の説明】
【０００９】１ａクリップ          １ｂクリップ
２ａ中穴部            ２ｂ中穴部
３ａ軸                ３ｂ軸
４ａ挟み板            ４ｂ挟み板
５ａ連絡バー          ５ｂ押えバー
【図１】
0003121265.tif 000003
【図２】
0003121265.tif 000004
【図３】
0003121265.tif 000005
【手続補正書】
【提出日】平成18年2月1日(2006.2.1)
【手続補正１】
【補正対象書類名】実用新案登録請求の範囲
【補正対象項目名】全文
【補正方法】変更
【補正の内容】
【実用新案登録請求の範囲】
【請求項１】
クリップ１ａの下板に中穴部２ａを回転自在に設け、連絡バー５ａの一方の端を中穴部２ａに装着し、さらに、クリップ１ｂの下板に中穴部２ｂを設け、連絡バー５ａのもう一方の端を摺動自在及び取り外し自在に中穴部２ｂに装着したことを特徴とするページ押え具。
【請求項２】
前記クリップ１ａの上板の先端部に軸３ａを設け、軸３ａを中心に上下動自在に挟み板４ａを装着し、さらに、前記クリップ１ｂの上板の先端部に軸３ｂを設け、軸３ｂを中心に上下動自在に挟み板４ｂを装着したことを特徴とする請求項１記載のページ押え具。
【請求項３】
前記クリップ１ｂの上板に押えバー５ｂを装着したことを特徴とする請求項１又は２記載のページ押え具。
(57)【要約】      （修正有）【課題】希望の温度で使用出来るカイロ袋を提供する。【解決手段】袋１に本案通気穴２をあけることによって、袋内のカイロの中で化学反応で反応熱が空気穴の大きさによりそれぞれの熱を発生させ、適切な温度を保ち続けることが出来る。【選択図】図１
0003121287.tif 000002
【実用新案登録請求の範囲】
【請求項１】
カイロの温度を適温で保持するため、別袋に穴をあけて空気の流入を穴の大小により、希望の温度で使用出来るカイロの袋。
【考案の詳細な説明】
【技術分野】
【０００１】  本考案は、カイロの温度を調節するために、カイロを穴のあいた袋に入れ、穴の大きさにより温度の調節が出来て、希望の温度で使用出来るようにしたものである。
【背景技術】
【０００２】  従来は、カイロの温度を調節するカイロはなかった。
【考案の開示】
【考案が解決しようとする課題】
【０００３】  冬の寒い時期など、カイロを長時間使用していると、お子様や身体のご不自由な方々にも希望する温度で使用することの出来るカイロがなかった。
本案はこの課題を解消するためになされたものである。
【課題を解決するための手段】
【０００４】  袋１に本案通気穴２をあけることによって、袋内のカイロの中で化学反応で反応熱が空気穴の大きさによりそれぞれの熱を発生するようにした。
【考案の効果】
【０００５】  カイロを本案袋に入れて、空気穴の大小により、温度を調節して、希望の温度で使用することが出来る。
以下、考案の実施の形態について説明する。
（イ）本袋にそれぞれ別袋に３ｍｍ・５ｍｍ・８ｍｍの通気穴を表側のみにあけてカイロをいれ、袋の入口を密閉する。
（ロ）この袋内のカイロ温度は、３ｍｍ穴で約２８℃前後、５ｍｍ穴で３８℃前後、８ｍｍ穴で４８℃前後の温度が保たれた。
【図面の簡単な説明】
【０００６】
【図１】本考案の正面図である。
【図２】本考案の使用状態を示すＡ−−−Ａの断面図である。１  本案の袋の本体  ２  本案の通気穴  ３  カイロ  ４  のりつけ線
【図１】
0003121287.tif 000003
【図２】
0003121287.tif 000004
(57)【要約】      （修正有）【課題】プラスチック製のドーム型の成型品の育苗用保温器を地面に固定するためにフランジ部分に土をかけたり針金製の楔状の脚を刺し込むことを容易にする。【解決手段】頂上部分に孔２をあけた保温器本体１のフランジ３部分を外側方向に四方に広くとり、且つフランジ３部分にＵ字の上部が本体の中心部の方向に向いているＵ字形の切れ目４を施すことにより、保温器を地面に固定するためにフランジ３部分に土をかけたり針金製の楔状の脚５を刺し込むことが容易となり、且つ切れ目が裂けても裂け目がフランジ部分の外側まで到達することがない。【選択図】図１
0003121272.tif 000002
【実用新案登録請求の範囲】
【請求項１】
頂上部分に孔をあけたプラスチック製のドーム型の成型品であって、外側方向に四方に広げたフランジ部分に針金製の楔状の脚を刺し込むためのＵ字の上部が本体の中心部の方向に向いているＵ字形の切れ目を施した育苗用保温器。
【考案の詳細な説明】
【技術分野】
【０００１】  本考案は、プラスチック製のドーム型の成型品の広くしたフランジ部分にＵ字の上部が本体の中心部の方向に向いているＵ字形の切れ目を施した、育苗用保温器に関するものである。
【背景技術】
【０００２】  この種の保温器としては頂上部分に孔をあけたものの環状のフランジ部分に針金製の楔状の脚を刺し込んで地面に固定して使用するものがあった。
【考案の開示】
【考案が解決しようとする課題】
【０００３】  上記の環状のフランジ部分に、針金製の楔状の脚を刺し込むのは一定の力が必要で困難な場合もある。また脚の抜き刺し等によって脚を刺し込んだ孔が広がってしまうこともある。さらに保温器を地面に固定するためにフランジ部分に土をかけたり脚を刺し込むときにフランジ部分が小さすぎてやりにくい場合もある。従って、フランジ部分を広くしてＵ字の上部が本体の中心部の方向に向いているＵ字形の切れ目を施すことにより、フランジ部分に土をかけたり脚を刺し込むことが容易となり、且つ切れ目が裂けても裂け目がフランジ部分の外側まで到達することがなく、前途の欠点を解決しようとするものである。
【課題を解決するための手段】
【０００４】  本考案は、頂上部分に孔をあけたプラスチック製のドーム型の成型品のフランジ部分を外側方向に四方に広げ、且つフランジ部分に針金製の楔状の脚を刺し込むためのＵ字の上部が本体の中心部の方向に向いているＵ字形の切れ目を施すことにより問題点を解決している。
【考案の効果】
【０００５】  上述の様に、本考案のＵ字形切れ目付つばひろ育苗保温器はフランジ部分を広くしてＵ字形の切れ目を施したので、保温器を地面に固定するためにフランジ部分に土をかけることや針金製の楔状の脚を刺し込むことが容易である。またＵ字形の切れ目のＵ字の上部が本体の中心部の方向に向いているので、切れ目が裂けても裂け目がフランジ部分の外側まで到達することがない。
【考案を実施するための最良の形態】
【０００６】  頂上部分に孔をあけたプラスチック製のドーム型の成型品のフランジ部分は外側方向に四方に広がり、且つフランジ部分に針金製の楔状の脚を刺し込むためのＵ字形の切れ目が施してある。Ｕ字形の切れ目のＵ字の上部は本体の中心部の方向に向いている。
【実施例】
【０００７】  以下、添付図面に従って一実施例を説明する。１は頂上部分に孔をあけたプラスチック成型品の保温器本体、３は外側方向に四方に広げたフランジ部分で、保温器を地面に固定するために上に土をかけることが容易である。さらにフランジ３部分にＵ字形の切れ目４を施すことにより、保温器を地面に固定するために針金製の楔状の脚を刺し込むことが容易となる。【０００８】  Ｕ字形の切れ目に針金製の楔状の脚を刺し込むと切れ目のＵ字形の内側部分が刺し込まれた脚に下方向に押し込まれることにより、保温器と脚が互いに固定される。【０００９】  Ｕ字形の切れ目のＵ字の上部が本体の中心部の方向に向いているので、切れ目が裂けても裂け目がフランジ部分の外側まで到達することがない。
【図面の簡単な説明】
【００１０】
【図１】本考案のＵ字形切れ目付つばひろ育苗用保温器の斜視図である。
【図２】本保温器の上面図である。
【図３】本保温器のフランジ部分のＵ字形の切れ目に針金製の楔状の脚を途中まで刺し込んだところを示す斜視図である。
【図４】本保温器のフランジ部分のＵ字形の切れ目に脚を最後まで刺し込んだところを示す斜視図である。
【符号の説明】
【００１１】  １  保温器本体
２  孔
３  フランジ
４  Ｕ字形の切れ目
５  針金製の楔状の脚
【図１】
0003121272.tif 000003
【図２】
0003121272.tif 000004
【図３】
0003121272.tif 000005
【図４】
0003121272.tif 000006
(57)【要約】      （修正有）【課題】私服で通学する児童の安全ピンで装着する通学名札の安全ピンによる衣服の損傷を防ぐ通学名札ワッペンを提供するとともにワッペンをあらかじめ衣服に接着して名札装着の適切な位置を定めること。【解決手段】安全ピンを再三刺しても損傷しにくいフェルトや織物、生地からなるワッペン１は所定の位置にアイロンで接着する。ワッペン１の内側に接着剤のガイドとなるステッチ２を施し、ステッチ２で囲まれた部分４に安全ピン３のピンを通す。ワッペンの裏面に接着剤層５を設け、ステッチ２で囲まれた部分６に接着剤は施さない。【選択図】図１
0003121274.tif 000002
【実用新案登録請求の範囲】
【請求項１】
安全ピンで装着する通学名札用のアイロン接着ワッペンであって、名札を装着する適切な位置をワッペンが定めるとともに、該ワッペンの裏面に安全ピンを通す部分を残して接着剤を施し、ピンで衣服を少しつまむことにより衣服に穴が空いたり、又名札を引っ張ることなどによる衣服の損傷を防ぐことを特徴とするアイロン接着ワッペン。
【考案の詳細な説明】
【技術分野】
【０００１】
本考案は私服で通学する児童の安全ピンで装着する通学名札の装着位置を定め、安全ピンによる衣服の損傷を防ぐワッペンに関するものである。
【背景技術】
【０００２】
従来、通学名札は安全ピンで衣服に装着するものが多く用いられているが、校外では名札は外すように指導している学校も多く、したがって名札の装脱着の回数も増え、特に一年生は装着する位置が様々になり、名札が見えにくくなったりする。また安全ピンで衣服を少しだけつまむことにより衣服に穴が空いたり、名札を引っ張ったりして衣服を損傷することも多い。
【考案の開示】
【考案が解決しようとする課題】
【０００３】
しかしながら通学名札を装着するのは一時のことだから、と諦めている。装飾や目印としてのワッペンやアップリケは多く用いられているが、この考案は私服で通学する児童の安全ピンで装着する通学名札の安全ピンによる衣服の損傷を防ぐ通学名札ワッペンを提供するとともに該ワッペンをあらかじめ衣服に接着して名札装着の適切な位置を定めることを課題とする。
【課題を解決するための手段】
【０００４】
安全ピンを再三刺しても損傷しにくいフェルトや織物、生地からなるワッペン１は所定の位置にアイロンで接着する。ワッペン１の内側に接着剤のガイドとなるステッチ２を施し、ステッチ２で囲まれた部分４に安全ピン３のピンを通す。ワッペンの裏面に接着剤層５を設け、ステッチ２で囲まれた部分６に接着剤は施さない。。
【考案の効果】
【０００５】
通学名札ワッペンは、名札取付の適正位置にアイロンによる接着で取り付け、通学名札の安全ピンによる衣服の損傷を防ぐことができる。適正な位置にワッペンを接着することで、おのずと名札も適正な位置に装着することができる。
【考案を実施するための最良の形態】
【０００６】
ワッペンは衣服のデザインを損なわないごくシンプルな形状で、色や素材を選択できるものが望ましく、ワッペン表面の内側と中央に施されたステッチが安全ピンを通す場所をガイドする。裏面にはアイロン接着剤を施すが、ステッチによりガイドされた安全ピンの通る場所は接着剤を施さない。
【実施例１】
【０００７】
この発案の実施形態を図１に示す。多様な子供服に対応する色や素材のワッペン１はステッチ２で囲まれた部分４に安全ピン３を通す。ワッペン１の裏面５に接着剤を施し、ステッチ２で囲まれた部分６に接着剤を施さない。
【産業上の利用可能性】
【０００８】
薄着になる季節では、吸湿性のよいＴシャツを着用する機会が増えるが、これらの衣服は薄手でピンによる損傷がつきやすい素材のものが多いため、通学用の衣服にあらかじめ当ワッペンを接着しておけば、通学名札の安全ピンによる衣服の損傷を防ぐことができる。    
【図面の簡単な説明】
【０００９】
【図１】ワッペンの表面  安全ピンの装着図
【図２】ワッペンの裏面
【図３】ワッペンの断面図
【符号の説明】
【００１０】
１  ワッペン本体
２  ステッチ
３  安全ピン
４  ステッチで囲まれたワッペン表面部分
５  接着剤層
６  ステッチで囲まれたワッペン裏面部分  
【図１】
0003121274.tif 000003
【図２】
0003121274.tif 000004
【図３】
0003121274.tif 000005
(57)【要約】      （修正有）【課題】カラ−ボ−ル等を射出する手段として、従来の射出器具本体内部のガス環流圧による射出方式では、使用者が射出物を容易に変更し射出することが出来る可能性がある為、射出器具自身には射出性能を持たせず、射出用のガス充填ボンベと射出物を一体のカ−トリッジ化にして、射出器具本体と分離した構造のガスボンベ内蔵型カ−トリッジを提供する。【解決手段】一方が封鎖され、閉鎖部中央に撃針の通過用のスペ−スをもうけた『円筒状のカ−トリッジ本体』の内部に『ガス充填ボンベ』並びにボンベの開封口を開封させる為の『ガス噴出プレ−ト』を内蔵し、ガスの噴出力を利用し、カ−トリッジ前部に装着された『射出物』を瞬時に射出させる為の、ガスボンベ内蔵型カ−トリッジが本考案である。【選択図】図１
0003121277.tif 000002
【実用新案登録請求の範囲】
【請求項１】
一方が封鎖され、閉鎖部中央に撃針の通過用のスペ−スをもうけた『円筒状のカ−トリッジ本体』の内部に、窒素・ヘリウム等の、温度差による膨張・収縮率の少ない『ガスを充填したボンベ』並びに、射出器具本体の撃針の打撃により前方に移動する『ガスボンベの開封口を開封する為のガス噴出プレ−ト』を内蔵し、ガスの噴出力を利用し、カ−トリッジ前部に装着された、『防犯上並びに、有害な野生動物の駆除等の為に有効な物質の充填された射出物』を瞬時に射出する為の、ガスボンベ内蔵型カ−トリッジ。
【考案の詳細な説明】
【技術分野】
【０００１】  この考案は、強盗等の凶悪犯人等に対し、抵抗力削減用刺激性物質・犯人識別用塗料・警察犬誘導用芳香剤、等の防犯上有効な物質、並びに、有害な野生動物の駆除等を目的とし、各客体となる野生動物の生理的に嫌がる物質等を内蔵した射出物を瞬時に射出する為の、ガスボンベ内蔵型カ−トリッジに関するものである。
【背景技術】
【０００２】  現在、市場に出ている特殊塗料入りボ−ル（通称カラ−ボ−ル）を射出する為の商品は、射出器具本体内部に炭酸ガスのボンベを装備し、同ガスが本体内部を環流しその噴出力にて射出物を射出させるものである。【０００３】  この構造では、たとえば射出物を鉛の玉等に変えることで、容易にそれらの危険物質を射出する能力を持っており、製造者の意図に反し、使用者が射出物を悪意により変更することにより、銃刀法に抵触する恐れも危惧されるものである。【０００４】  又、上記構造の商品で射出出来る物体は、直径２０ｍｍ程度までのもので、それ以上の大型の物体の射出は現在、構造上不可能なのが現状である。【０００５】  さらに、炭酸ガスはその汎用性の高さから、飲料業界用、エア−ガン業界用、等さまざまな分野で使用されており、同ガス充填のボンベも比較的安価で容易に入手出来る利点はあるも、温度差による膨張、収縮率が高く、物体を射出するといった面においては、安定した射出能力の保持にはあまり適さない物質であると思われる。
【考案の開示】
【考案が解決しようとする課題】
【０００６】  射出器具本体に射出ガスボンベを内蔵し、本体内部のガス環流による射出物の射出構造では、製造者の意図に反し、使用者が射出物を悪意により変更した場合の危険防止上の対応が不可能な為、射出器具本体には打撃針作動構造のみで、射出能力を持たせず、射出物を射出する為のガスボンベ内蔵型カ−トリッジの方に射出能力を持たせる。【０００７】  当該ボンベに充填するガスは、温度差による膨張、収縮率が１０％程度に抑えられ、比較的安定した射出能力の保持が可能である、窒素・ヘリウム等のガスを充填したものを使用する。【０００８】  同ガスボンベ内蔵のカ−トリッジには一連の製造番号を打刻し、購入者と各カ−トリッジをメ−カ−サイド等にて一元化に記録する事により、悪用防止さらには、悪用された場合の当該カ−トリッジの追跡調査等を可能にしておく。
【考案を解決するための手段】
【０００９】１．一方が封鎖され、閉鎖部中央に撃針の通過用のスペ−スをもうけた円筒状のカ−トリッジ本体（１）の内部に、窒素・ヘリウム等の、温度差による膨張・収縮率の少ないガスを充填したボンベ本体（２）並びに、射出器具本体にもうけられた撃針（３）の打撃により前方に移動する同ボンベの開封口を開封する為のガス噴出プレ−ト（４）を内蔵し、同ガスの噴出力を利用してカ−トリッジ前部の射出物（５）を射出する構造にする。
２．カ−トリッジ本体部（１）と射出物（２）との気密性を保たせる為に、両物体接合部に変性シリコン等での気密用コ−キング（６）を施す。
【００１０】１．上記構造により、射出器具本体に内蔵された撃針（３）の前進運動により、撃針前部がカ−トリッジ本体（１）の後部中央に設けられたスペ−スを通過し、ガスボンベ（２）の後部を打撃し、ガスボンベが前方に移動する。
２．前方に移動したガスボンベの開封口は、開封口を開封する為のガス噴出プレ−ト（４）に衝突し、ガスが噴出され、その噴出力により射出物が前方に射出されるのが本考案である。
【考案の効果】
【００１１】１．射出物並びに射出用のガス充填ボンベを一体化したカ−トリッジと、射出器具本体を分離し、射出器具本体には射出機能を持たせない構造の採用により、故意による悪用の防止が可能である。
２．炭酸ガスではなく窒素、ヘリウム等のガスの使用により、温度差にあまり左右されず、より安定した射出能力の保持が可能である。
【考案を実施するための最良の形態】
【００１２】  射出物の直径は５０ｍｍ程度、カ−トリッジの長さは１１０ｍｍ程度のものが望ましい。
【産業上の利用可能性】
【００１３】  射出物への充填物を変えることにより、金融機関、コンビニエンスストア−、現金輸送車等の強盗事件等の未然防止、小学校・中学校等の教育現場への不法乱入者の抑圧、有害な野生動物との人為的結界の作成等、さまざまな面での利用が考えられる。
【図面の簡単な説明】
【００１４】
【図１】本案のカ−トリッジ断面図。
【図２】本案のガス噴出プレ−ト、平面図。
【図３】本案のガス噴出プレ−トの側面図。
【符号の説明】
【００１５】１．カ−トリッジ本体
２．ガス充填ボンベ
３．射出器具本体の撃針
４．ガス噴出プレ−ト
５．射出物
６．コ−キング材
【図１】
0003121277.tif 000003
【図２】
0003121277.tif 000004
【図３】
0003121277.tif 000005
(57)【要約】【課題】  本考案は、キーホルダーつきペンダントにカバーを付け防犯上、有利にしたものである。【解決手段】  本考案は、紐にカバーとフックとを付け、カバーにはキー取り出し口を設けキー使用時には容易に取り出し可能とした。さらに、落下防止のため、細紐によってキーを二重に固定した。また、使用後は、カバーの中に簡単に収納されるよう、キー取り出し口は、小さくした。服の上からペンダントとして使用、服の内部にしまっても、キーの金属部分が体や肌に触れない。走ったりして、キーが体にあたっても、痛くないし、防犯上有利である。【選択図】図１
0003121221.tif 000002
【実用新案登録請求の範囲】
【請求項１】
下端にキーホルダーを付けたペンダントにおいて、キー及びキーホルダーが外見上見えなくするよう覆うカバーを設け、そのカバー側面中央の一部にキー取り出し口を設け、カバーの下部より少なくとも２．５cm以上で、４cm以下の大きさの取り出し口にすることにより、ホルダーに取り付けたキー全体が飛び出さないようにしたことを特徴とするカバーつきキーホルダーである。
【考案の詳細な説明】
【技術分野】
【０００１】
本考案は、カバーの付いたキーホルダーに関するものである。
【背景技術】
【０００２】
子どもが、外出する時、キーを持たせている家庭があるが、その際、ポケットなどに入れておくと無くす場合がある。そこで、無くさないようにと首から提げている子がいる。
【考案の開示】
【考案が解決しようとする課題】
【０００３】
しかし、キーを持っていることが、外見上わかると、そのキーを悪用される恐れがある。そこで、本考案は、キーを首から提げた時、外見上、キーを提げていることが悟られないようにすることで、前述のような防犯上の問題点を解決しようとするものである。
【課題を解決するための手段】
【０００４】
下端にキーホルダーを付けたペンダントにおいて、キー及びキーホルダーが外見上見えなくするよう覆うカバーを設け、そのカバー側面中央の一部にキー取り出し口を設け、カバーの下部より少なくとも２．５cm以上で、４cm以下の大きさの取り出し口にすることにより、ホルダーに取り付けたキー全体が飛び出さないようにしたことを特徴とするカバーつきキーホルダーである。
【考案の効果】
【０００５】
首からキーを提げていても、外見では、アクセサリーとしてのペンダントをつけているようにしか見えず、キーを提げているようには見えない。キーを提げていることを悟られないことによって、犯罪の誘引につながらない。紐によって、ランドセルなどにも簡単に付けられ、取り外しも、容易である。キーの使用は、キー取り出し口から、取り出しも簡単で、簡易に中に収納される。
【考案を実施するための最良の形態】
【０００６】
布等で作ったカバー５に、輪にした紐１を縫いつけ、中にキーを着脱する為のフック４を付ける。フック４とともに、細い紐６も縫ってあり、落下防止のためキーを紐によって固定し安全を図る。カバーのキー取り出し口3a，3bは小さいので外見上、中にキーが収納されていることがわからないとともに、キーが飛び出さない。
【０００７】
以下添付図面に従って一実施例を説明する。１は紐、２はキー、3aは、キー取り出し口の上端、3bは、キー取り出し口の下端、４はフック、５はカバー、６は、細紐。
以下添付図面に従って一実施例を説明する。
１は紐、２はキー。3aは、キー着脱時に使用するキー取り出し口の上端、3bは、キー着脱時に使用するキー取り出し口の下端、４は、内部に取り付けてあるフック、５は、カバーで、ホルダーとキーの全体を覆って外見上見えなくするような十分な大きさのものとする。例えば、  10ｃｍ位とする。3aと3bは、キー取り出し口の上端と下端である。キーとホルダーが縦長なので、下部より取り出すのに十分な大きさを取りづらい。カバーの下部をキー取り出し口にすると、キーホルダーのフックがカバーの上部に付けてあるので、キーの着脱が容易でない。又、キーがフックから外れた場合には、落下して紛失する恐れもある。そこで、キー取り出し口は、側面に設ける。
【０００８】
本考案キーホルダーにキーを取り付ける場合、キー取り出し口3aと3bから、フックを引き出しキーを取り付ける。さらに、フック４とともに縫ってある細紐６によっても、キーを固定する。キーの下端がキー取り出し口の上端より下部になるように短いキーの場合で作ってあるので、長いキー短いキーのともに、キー取り出し口より下部に位置することになる。従って、キーが飛び出そうとしても引っかかって外に飛び出すことがない。
【０００９】
本考案の一実施例は上述の如き構成からなるのもであるから、首から提げるカバー付きキーホルダーとして用いることは勿論であるが、ランドセル、リュック、バッグなどにも付けることが可能である。
【図面の簡単な説明】
【００１０】
【図１】本考案のカバー付きキーホルダーの正面内部図である。
【図２】本カバー付きキーホルダー、キー取り出し時の正面図である。
【図３】本カバー付きキーホルダーのキーを着脱時、キー取り出し口から、キーホルダー部分のフックと細紐を取り出した正面図である。
【符号の説明】
【００１１】
１  紐
２  キー
３ａ  キー取り出し口上端
３ｂ  キー取り出し口下端
４  フック
５  カバー
６  細紐
【図１】
0003121221.tif 000003
【図２】
0003121221.tif 000004
【図３】
0003121221.tif 000005